(57)【要約】【課題】多くの配線や結線が必要なマルチメディア対応の表示装置に適用でき、かつ配線の変更が容易で配線処理が良好な薄型表示装置を提供する。【解決手段】液晶テレビは、コンソール部１１の下キャビネット５が、アンプ部１５及びコントロール部１７を収容するＴ字型の本体部５ａと、本体部５ａの左下側に形成された第１の配線通路５ｂと、本体部５ａの右下側に形成された第２の配線通路５ｃと、第１の配線通路５ｂに臨む本体部５ａ左側面に設置されたＡＶ端子接続用基板５ｄと、第２の配線通路５ｃに臨む本体部５ａ右側面に設置されたオーディオ端子及びスピーカ端子接続用基板５ｅと、第１及び第２の配線通路５ｂ，５ｃをカバーする背面カバー５ｆ〜５ｉとを備える。【選択図】　図３
2004109396.tif 000002
【特許請求の範囲】
【請求項１】
表示画面を有する表示部と、前記表示部とともに平面を形成するように配置されるコンソール部とを備える薄型表示装置において、
前記コンソール部は、背面にキャビネットを有し、
前記キャビネットは、本体部と、該本体部の側面及び底面により画成された配線通路と、前記本体部側面に配置された端子接続用基板と、前記配線通路部分を覆うカバーとを備え、
前記端子接続用基板にケーブルを接続し、該ケーブルを前記配線通路に収容するとともに、前記カバーに形成した開口部を通して外部に導く構成とすることを特徴とする薄型表示装置。
【請求項２】
前記配線通路は、前記本体部の左下側に形成された第１の配線通路と、前記本体部の右下側に形成された第２の配線通路とを有することを特徴とする請求項１記載の薄型表示装置。
【請求項３】
前記第１の配線通路を臨む前記本体部側面に配置された第１の端子接続用基板と、前記第２の配線通路を臨む前記本体部側面に配置された第２の端子接続用基板とを有することを特徴とする請求項２記載の薄型表示装置。
【請求項４】
前記第１の端子接続用基板と前記第２の端子接続用基板とのうち、一方がＡＶ端子接続用基板、他方がオーディオ端子又はスピーカ端子接続用基板であることを特徴とする請求項１記載の薄型表示装置。
【請求項５】
前記カバーは、前記キャビネットの背面の形状に合わせた形状に形成することを特徴とする請求項１記載の薄型表示装置。
【発明の詳細な説明】
【０００１】
【発明の属する技術分野】
本発明は、薄型表示装置に関し、特に、薄型表示装置に適したケーブル配線処理に関する。
【０００２】
【従来の技術】
表示装置の大画面化に伴い、大型の表示装置構造体に関する技術が重要になってきている。表示装置は、例えば液晶の表示ユニットを備えた本体と、該本体をチルト可能に支持するスタンドとから構成される。従来の表示装置では、他の機器との接続を本体の背面に設けた接続端子部とで接続しなければならない。
【０００３】
図９は、従来の液晶表示装置の断面図である。図９に示すように、薄形の表示部１０１を備えた本体１００と、前記本体１００をチルト可能に支持するスタンド２００とから薄形表示装置を構成し、この表示装置の裏面に接続端子部３００を備えた接続配線のための第１の通路３５０を備え、前記スタンド２００には前記第１の通路３５０に連続する第２の通路３５１を備え、前記チルド機構部２５０の動作範囲において前記連続が維持されるように構成したものがある（例えば、特許文献１参照）。
また、表示装置本体の背面から出ているケーブルが乱雑にならない薄形表示装置として、例えば以下のものがある。
【０００４】
図１０は、従来の他の薄型表示装置の斜視図である。図１０に示すように、スタンド４１２は固定スタンド４０３と上下動可能な可動スタンド４１４とからなる。表示装置本体４０５は可動スタンド４１１に、画面の縦横切り替えのために回転可能に取り付けられている。表示装置本体４０５から出ているケーブル４０７を可動スタンド４１４の背面の上端部から下方に導くとともに、ケーブル４０７の可動スタンド４１４の背面部分を覆うカバ４２１を設け、かつ、ケーブル４０７を円滑にスライドさせるための案内手段４２０を設けるものである（例えば、特許文献２参照）。
【０００５】
【特許文献１】
特開平１１−２５９０１１号公報（図１）
【特許文献２】
特開平１１−２４９５７７号公報（図１）
【０００６】
【発明が解決しようとする課題】
しかしながら、上記特許文献１に記載された構造にあっては、薄形表示装置の裏面に接続配線のための第１の通路３５０と、第１の通路３５０に連続する第２の通路３５１とを備え、チルド機構部２５０の動作範囲において連続が維持される構成としているので、配線を変更する場合には、配線を通路３５０，３５１に連通させながら視覚的に見えずらい基板１０３のコネクタに接続する作業を行わなければならない。液晶表示装置が小型であれば、表示装置及び本体を倒立させて接続作業を行うことも可能であるが、表示装置が大画面化している現状では困難である。また、パソコン等の液晶表示装置では、接続端子数は限られると共に、配線変更の必要性は少ないものの、ＡＶ機器や各種の機器と接続可能なマルチメディア対応の表示装置の場合には、多くの結線が必要となってきており、前記課題は大きいものがある。
特許文献２に記載の装置も、パソコン等の液晶表示装置を想定しており、多くの配線や結線が必要なマルチメディア対応の表示装置の場合には、対応しにくい。
【０００７】
いずれにしても、従来の表示装置は、大画面化に伴う装置の大型化、薄型化に伴う配線部の領域確保及び薄型化の美観を損なわない配慮、さらにはマルチメディア対応による配線数の増大と接続容易性に課題を持っている。
【０００８】
本発明は、このような課題に鑑みてなされたものであって、多くの配線や結線が必要なマルチメディア対応の表示装置に適用でき、かつ配線の変更が容易で配線処理が良好な薄型表示装置を提供することを目的とする。
【０００９】
【課題を解決するための手段】
本発明の薄型表示装置は、表示画面を有する表示部と、前記表示部とともに平面を形成するように配置されるコンソール部とを備える薄型表示装置において、前記コンソール部は、背面にキャビネットを有し、前記キャビネットは、回路等を収容する本体部と、該本体部の側面及び底面により画成された配線通路と、前記本体部側面に配置された端子接続用基板と、前記配線通路部分を覆うカバーとを備え、前記端子接続用基板にケーブルを接続し、該ケーブルを前記配線通路に収容するとともに、前記カバーに形成した開口部を通して外部に導く構成とすることを特徴としている。
【００１０】
また、前記配線通路は、前記本体部の左下側に形成された第１の配線通路と、前記本体部の右下側に形成された第２の配線通路とを有することがより好ましい。
また、前記第１の配線通路を臨む前記本体部側面に配置された第１の端子接続用基板と、前記第２の配線通路を臨む前記本体部側面に配置された第２の端子接続用基板とを有することがより好ましい。
【００１１】
また、より好ましい具体的な態様として、前記第１の端子接続用基板と前記第２の端子接続用基板とのうち、一方がＡＶ端子接続用基板、他方がオーディオ端子又はスピーカ端子接続用基板である。
また、前記カバーは、前記キャビネットの背面の形状に合わせた形状に形成することがより好ましい。
【００１２】
【発明の実施の形態】
本明細書において、薄型表示装置とは、例えば液晶テレビや画面一体型パーソナルコンピュータなどを含み、さらにプラズマディスプレイなどの種々の表示装置を含む広い概念であり、表示機構により限定されるものではない。また、本明細書において、表示部は、主として表示機能を有し、一方、コンソール部は、主として表示装置を制御する制御機能や音響機能などを収容する。
【００１３】
発明者は、大画面表示装置の薄型化のためには、表示パネルを備えた表示部と、制御機能や音響機能などを収容するコンソール部と、を分離させるとともに、それぞれを薄型化し、かつ、表示部とコンソール部とを平面状に配置する構成が有利であると考えた。平板状の表示部とコンソール部とを、それぞれの端面が向かい合うように配置すれば、大画面表示装置全体を薄型化することができると考えた。このように配置した場合には、表示部とコンソール部とをいかにして接合するかが重要になる。すなわち、薄型平板の端面は表示面に比べて面積が非常に小さくなるため、例えば振動などに対してその影響を低減するように考慮する必要が生じる。また、大画面表示装置では、コンソール部と表示部との接合部におけるわずかな取り付け誤差や製造上の公差があるだけで、ユーザにとっては表示部の傾きが目立ってしまう。そこで、表示部とコンソール部との端面を当接させずに、隙間を有した状態で配置した状態で両者を固定すれば、水平度の調整が容易になる。
【００１４】
以下、本発明の一実施の形態による薄型表示装置について、液晶テレビジョン（以下、「液晶テレビ」と称する。）を例にして説明する。図１は本発明の実施の形態による液晶テレビの構成を示す正面図であり、図２は背面カバー有の背面図、図３は背面カバー無の背面図、図４は背面側から見た斜視図、図５は左側断面図、図６は右側断面図、図７は図５の要部側面図、図８は図６の要部側面図である。
【００１５】
図１から図８までに示すように、本実施の形態による液晶テレビＡは、表示部１と、例えば表示部１の下に設けられたコンソール部１１と、回転機構２２と、スタンド２３と、を備えている。表示部１とコンソール部１１とを合わせて本体部Ｂと称する。コンソール部１１は回転機構２２を介してスタンド２３により支持されている。この液晶テレビＡでは、コンソール部１１の上端面と表示部１の下端面とが接続されている。表示部１は、液晶パネル３と、液晶パネル３の裏面側で液晶パネルを支持するとともに、バックライトを保持するために設けられた例えばアルミニウム製のバックフレーム（図示略）と、ほぼ裏面全体を囲む上キャビネット４を有している。上キャビネット４は、このバックフレームの周縁部に取り付けられている。また、表示部１の表面側の外周縁部にも、例えば図１に示すように縁取り部１ａが形成されている。
【００１６】
スタンド２３は、大型の表示部に対応できるように左右に広がる略ハの字型の形状を有しており、液晶テレビＡをバランス良く設置できる。回転機構２２を設けることにより、スタンド２３を基準とし鉛直方向を回転軸として本体部Ｂを回転させることができる。本体部Ｂを回転させることにより、視聴者が動かなくても視聴者の好みの角度で液晶テレビを見ることができるとともに、液晶の視向性を低減することができる。本体部Ｂに回転方向の遊びを持たせ、本体部Ｂに対して意図しない力が加わった際に薄型の液晶テレビが破損するのを防止できる。
【００１７】
コンソール部１１は、下キャビネット５を有しており、下キャビネット５内に、例えばアンプ部１５とコントロール部１７とが配置されている。コンソール部１１の表面側の外周縁部にも、例えば図１に示すように縁取り部１１ａが形成されている。アンプ部１５は、例えば、基幹デバイスとして高精度１チップΔΣ変調ＬＳＩを搭載している。１チップΔΣ変調ＬＳＩは、アナログ信号を１ビットデジタル信号に変換し、高速サンプリングにより音の透明感・スピード感を向上させている。
【００１８】
コントロール部１７は、例えば、液晶表示装置を含む液晶テレビＡの全体の制御を行う。液晶表示装置に関する制御を行うコントロール部１７を表示部１からコンソール部１１に移すことにより、表示部１の薄型化、大画面化が可能となる。なお、コンソール部１１中には、例えば、１ビット５．１ｃｈデジタルアンプを搭載しても良い。併せて、ＤＶＤビデオプレーヤを設置すると、臨場感に溢れるムービーを楽しむことができる。
【００１９】
液晶テレビＡの表示部１とコンソール部１１との接合構造について簡単に説明する。本実施の形態による液晶テレビＡにおいては、表示部１とコンソール部１１との両者を接続するための接合部３０を有している。接合部３０には表示部１とコンソール部１１を接合するためのフランジと、イルミネーションランプを収容するランプ収容部とが形成されている。
【００２０】
表示部１の裏面側は、上キャビネット４に囲まれており、コンソール部１１の裏面側は、下キャビネット５に囲まれている（図２及び図３参照）。上キャビネット４裏面には、上下２箇所に放熱のための吸気口４ａ，排気口４ｂが設けられている。
【００２１】
下キャビネット５の構造について説明する。
下キャビネット５は、アンプ部１５及びコントロール部１７を収容するＴ字型の本体部５ａと、本体部５ａの左下側に形成された第１の配線通路５ｂと、本体部５ａの右下側に形成された第２の配線通路５ｃと、第１の配線通路５ｂに臨む本体部５ａ左側面に設置されたＡＶ端子接続用基板５ｄ（図５及び図７参照）と、第２の配線通路５ｃに臨む本体部５ａ右側面に設置されたオーディオ端子及びスピーカ端子接続用基板５ｅ（図６及び図８参照）と、第１及び第２の配線通路５ｂ，５ｃをカバーする背面カバー５ｆ〜５ｉ（図２参照）とを備えて構成される。これら背面カバー５ｆ〜５ｉは、本体部５ａに設けられた爪部に、該当する凹部が係止される構造となっており、配線を変更する場合などには簡便に着脱可能である。
【００２２】
また、本体部５ａ裏面には、上下２箇所に放熱のための吸気口５ｊ，排気口５ｋが設けられている。本体部５ａ上部の左側面には、ＡＶ操作用スイッチ６のための窓５ｌが開口され、本体部５ａ上部の右側面には、オーディオ操作用スイッチ７のための窓５ｍが開口される。下キャビネット５の底面中央部は、回転機構２２を収容するために本体部５ａが円弧面形状５ｎに形成されている。また、背面カバー５ｈ，５ｉは、図２に示すように、前記円弧面形状５ｎに合わせて中央部分が後部に突出した円弧面形状に形成され、さらにその中心部はケーブル８を本体外部に導くための円弧状の切り欠き５ｏ，５ｐを設けている。
【００２３】
本体部５ａの左側面に設置されたＡＶ端子接続用基板５ｄは、図７に示すように、ＡＶ端子接続用の各種接続端子群とスイッチが配置されている。例えば、アンテナ入力端子５１、ＲＧＢ入力端子であるビデオ１入力端子５２、ＲＧＢ入力端子であるビデオ２入力端子５３、音声入力Ｒ端子，音声入力Ｌ端子，映像入力端子，音声出力Ｒ端子，音声出力Ｌ端子，映像出力端子からなるビデオ３入力端子５４、前記と同様の端子群からなるモニタ出力端子５５、ＢＳ／ＣＳ出力端子５６、これら端子５２〜５６と同様の機能を持つＳ映像入力端子５７〜６１、コントロール端子６２、ＤＣ出力端子６３、アナログＲＧＢ映像端子６４、音声出力端子６５、デジタル音声入力（光）端子６６，６７、Ｂ−ＣＡＳカードスロット６８、ロックスイッチ６９、テレビリセット７０、及びＢＳ／ＣＳリセット７１が設けられている。
【００２４】
一方、本体部５ａの右側面に設置されたオーディオ端子及びスピーカ端子接続用基板５ｅは、図８に示すように、オーディオ端子及びスピーカ端子接続用の接続端子が配置されている。例えば、オーディオ端子及びスピーカ端子接続用基板５ｅには、外部スピーカー接続端子として「フロント」と「サラウンド」に分けられ、「フロント」はさらに左、右、センターに色分けした接続端子部８１が、「サラウンド」はさらに左、右、サブウーハーに色分けした接続端子部８２がそれぞれ設けられる。接続端子部８１，８２は、スピーカ接続ケーブルの導体部を挟み込んで電気的に接続する。また、図６に示すように、電源供給端子８３が設けられている。
【００２５】
このように、ＡＶ端子接続用基板５ｄには、多数のＡＶ端子が配置され、各端子には多種多様の配線ケーブル８Ａが接続される。また、オーディオ端子及びスピーカ端子接続用基板５ｅには、オーディオ端子及びスピーカ端子が配置され、各端子部には多数の外部スピーカー接続端子８１，８２及び電源供給端子８３からなる配線ケーブル８Ｂが接続される。ＡＶ端子接続用基板５ｄに接続される配線ケーブルをケーブル８Ａ、オーディオ端子及びスピーカ端子接続用基板５ｅに接続される配線ケーブルをケーブル８Ｂと呼びこれらを合わせてケーブル８と呼ぶ。
【００２６】
以下、上述のように構成された薄型表示装置の配線処理について説明する。
コンソール部１１の下キャビネット５を背面下部から見た図４から明らかなように、下キャビネット５の本体部５ａの左右両側面には、広い空間領域を有する第１の配線通路５ｂと第２の配線通路５ｃとが形成されている。また、この第１の配線通路５ｂに臨む本体部５ａ左側面には、ＡＶ端子接続用基板５ｄが設置され、第２の配線通路５ｃに臨む本体部５ａ右側面にはオーディオ端子及びスピーカ端子接続用基板５ｅが設置されている。すなわち、配線接続種別の異なるＡＶ端子接続用基板５ｄとオーディオ端子用基板５ｅとが本体部５ａの両サイドに分かれて別々に設置され、しかも第１の配線通路５ｂと第２の配線通路５ｃとはそれぞれ十分な広さの空間領域を有する構造となっている。また、第１の配線通路５ｂと第２の配線通路５ｃとは、本体部５ａの底面で連通している。
【００２７】
ケーブル８を配線する場合には、図３及び図４に示すように、下キャビネット５から背面カバー５ｆ〜５ｉを外し、ビデオやＤＶＤ等のＡＶ入出力関連のケーブルの配線であれば、本体部５ａ左側面のＡＶ端子接続用基板５ｄの該当端子に該当ケーブル８Ａを接続し、これらのケーブル８Ａを第１の配線通路５ｂ上で纏めて下キャビネット５の底面中央部まで導く（図４参照）。また、スピーカ端子等のオーディオ関連のケーブルの配線であれば、本体部５ａ右側面のオーディオ端子及びスピーカ端子接続用基板５ｅの該当端子に該当ケーブル８Ｂを接続し、これらのケーブル８Ｂを第２の配線通路５ｃ上で纏めて下キャビネット５の底面中央部まで導く。
【００２８】
上記配線処理において、本実施の形態では、ＡＶ端子接続用基板５ｄ又はオーディオ端子接続用基板５ｅへのケーブル８の接続作業は、広い作業空間が確保された第１の配線通路５ｂ及び第２の配線通路５ｃ上で行えるため、作業性を向上させることができる。また、ＡＶ端子接続用基板５ｄとオーディオ端子用基板５ｅとが本体部５ａの両サイドに機能分けされて設置されているため、ケーブル選択や接続位置などの確認も機能毎に分けて行え、この点からも接続作業が容易となる。さらに、配線を変更する場合もケーブルの変更が必要な側（例えば、ＡＶ端子側）だけ背面カバー５ｆ〜５ｉを外して、配線接続の変更を行えばよい。また、本体部５ａの両サイドにＡＶ端子接続用基板５ｄ及びオーディオ端子用基板５ｅが設置されていることで、基板のスペースに余裕が生まれ将来の接続端子数やメモリカード等のスロットの増加にも適切に対応することができる。本薄型表示装置では、上記スペースの余裕を活かして接続仕方の詳細メッセージ（図示は省略）を付加しておりユーザの接続作業の際の情報を提供して便宜を図っている。
【００２９】
図３及び図４の説明に戻って、ＡＶ端子接続用基板５ｄ及びオーディオ端子接続用基板５ｅに該当ケーブル８を接続し、接続を確認すると、これらのケーブル８を第１及び第２の配線通路５ｂ，５ｃ上で纏めて下キャビネット５の底面中央部まで導き、該ケーブル８を背面カバー５ｈ，５ｉの円弧状の切り欠き５ｏ，５ｐを通して外部に出すようにして背面カバー５ｈ，５ｉを本体部５ａ底面に取り付ける。なお、下キャビネット５の底面中央部は、ケーブル８を滑らかに外部まで案内する形状となっているため、ケーブル８が過度に切り欠き５ｏ，５ｐに当接して背面カバー５ｈ，５ｉを押し外してしまうことが防止される。その後、背面カバー５ｆ，５ｇを本体部５ａ左右側面に取り付けて配線処理を終了する。下キャビネット５に背面カバー５ｆ〜５ｉが取り付けられると、接続用基板５ｄ，５ｅに接続されたケーブル８部分が背面カバー５ｆ〜５ｉ内に隠れ、ケーブル８が雑然と這うなどの見苦しい状態にならずすっきりとしたケーブル処理が可能となる。
配線変更やカードの挿脱などの場合には、変更が必要な側だけ背面カバー５ｆ〜５ｉを外して、上記と同様にして配線接続等の変更を行えばよい。
【００３０】
以上のように、本実施の形態の液晶テレビは、コンソール部１１の下キャビネット５が、アンプ部１５及びコントロール部１７を収容するＴ字型の本体部５ａと、本体部５ａの左下側に形成された第１の配線通路５ｂと、本体部５ａの右下側に形成された第２の配線通路５ｃと、第１の配線通路５ｂに臨む本体部５ａ左側面に設置されたＡＶ端子接続用基板５ｄと、第２の配線通路５ｃに臨む本体部５ａ右側面に設置されたオーディオ端子及びスピーカ端子接続用基板５ｅと、第１及び第２の配線通路５ｂ，５ｃをカバーする背面カバー５ｆ〜５ｉとを備え、例えば、ケーブル８Ａを配線する場合には、下キャビネット５から背面カバー５ｆ〜５ｉを外し、本体部５ａ左側面のＡＶ端子接続用基板５ｄにケーブル８Ａを接続し、これらのケーブル８Ａを第１の配線通路５ｂ上で纏めて下キャビネット５の底面中央部まで導く構成としたので、８の接続作業は、広い作業空間が確保された第１の配線通路５ｂ及び第２の配線通路５ｃ上で行えるため、作業性を向上させることができる。
【００３１】
また、本体部５ａの両サイドに接続用基板５ｄ，５ｅが分けて設置されているため、ケーブル接続やその変更、メンテナンスの向上を図ることができる。さらに、基板のスペースに余裕があるので、将来の接続端子数やメモリカード等のスロットの増加にも適切に対応することができる。
【００３２】
以上、本実施の形態に沿って説明したが、本発明はこれらの例に限定されるものではなく、種々の変形が可能であるのは言うまでもない。
例えば、本発明は液晶テレビに限らず、種々の薄型表示装置に適用可能である。また、本体部の側面及び底面に配線通路が形成されている構成であれば、その形状や接続用基板の取り付け位置等の構成自体は種々設計変更可能である。
【００３３】
【発明の効果】
本発明の薄型表示装置によれば、多くの配線や結線が必要なマルチメディア対応の表示装置に適用でき、かつ配線の変更が容易で配線処理を実現することができる。したがって、大画面化に伴う装置の大型化、薄型化に伴う配線部の領域確保及び薄型化の美観を損なわない配慮、さらにはマルチメディア対応による配線数の増大と接続容易性を向上させることができ、液晶テレビ等の薄型表示装置に適用して好適である。
【図面の簡単な説明】
【図１】本発明の一実施の形態による液晶テレビの平面図である。
【図２】本発明の一実施の形態による液晶テレビの背面カバー有の背面図である。
【図３】本発明の一実施の形態による液晶テレビの背面カバー無の背面図である。
【図４】本発明の一実施の形態による液晶テレビの背面側から見た斜視図である。
【図５】本発明の一実施の形態による液晶テレビの構造を示す左側面図である。
【図６】本発明の一実施の形態による液晶テレビの構造を示す右側面図である。
【図７】本発明の一実施の形態による液晶テレビの構造を示す要部側面図である。
【図８】本発明の一実施の形態による液晶テレビの構造を示す要部側面図である。
【図９】従来の液晶表示装置の断面図である。
【図１０】従来の他の薄型表示装置の斜視図である。
【符号の説明】
Ａ…液晶テレビ、Ｂ…本体部、１…表示部、３…液晶パネル、４…上キャビネット、５…下キャビネット、５ａ…本体部、５ｂ…第１の配線通路、５ｃ…第２の配線通路、５ｄ…ＡＶ端子接続用基板、５ｅ…オーディオ端子及びスピーカ端子接続用基板、５ｆ〜５ｉ…背面カバー、５ｎ…円弧面形状、５ｏ，５ｐ…切り欠き、６…ＡＶ操作用スイッチ、７…オーディオ操作用スイッチ、８，８Ａ，８Ｂ…ケーブル、１１…コンソール部、１５…アンプ部、１７…コントロール部、２２…回転機構、２３…スタンド、３０…接合部、５１…アンテナ入力端子、５２…ビデオ１入力端子、５３…ビデオ２入力端子、５４…ビデオ３入力端子、５５…モニタ出力端子、５６…ＢＳ／ＣＳ出力端子、５７〜６１…Ｓ映像入力端子、６２…コントロール端子、６３…ＤＣ出力端子、６４…アナログＲＧＢ映像端子、６５…音声出力端子、６６，６７…デジタル音声入力（光）端子、６８…Ｂ−ＣＡＳカードスロット、６９…ロックスイッチ、７０…テレビリセット、７１…ＢＳ／ＣＳリセット、８１，８２…接続端子部、８３…電源供給端子
【図１】
2004109396.tif 000003
【図２】
2004109396.tif 000004
【図３】
2004109396.tif 000005
【図４】
2004109396.tif 000006
【図５】
2004109396.tif 000007
【図６】
2004109396.tif 000008
【図７】
2004109396.tif 000009
【図８】
2004109396.tif 000010
【図９】
2004109396.tif 000011
【図１０】
2004109396.tif 000012